(57)【特許請求の範囲】
【請求項１】
携帯可能な駐車券処理端末装置であって、
係員の操作により駐車位置情報を入力するための入力部と、
前記入力部による入力情報に基づいて券用紙に少なくとも駐車位置情報の表示に対応する印字又は記録を行う表示手段と、
前記券用紙に入場情報、駐車位置情報及び割引情報を含む情報を書き込む情報書き込み部と、を備えることを特徴とする駐車券処理端末装置。
【請求項２】
携帯可能な駐車券処理端末装置であって、
係員の操作により駐車位置情報を入力するための入力部と、
前記入力部による入力情報に基づいて駐車券に少なくとも駐車位置情報の表示に対応する印字又は記録を行う表示手段と、
前記駐車券に駐車位置情報及び割引情報を含む情報を書き込む情報書き込み部と、を備えることを特徴とする駐車券処理端末装置。
【請求項３】
前記割引情報は、駐車場の駐車位置に応じて駐車料金の割引を行う情報であることを特徴とする請求項１または請求項２に記載の駐車券処理端末装置。
【請求項４】
前記入力部は、操作キーからなるキー入力部であることを特徴とする請求項１から請求項３のいずれか一項に記載の駐車券処理端末装置。
【請求項５】
所定の情報を表示する表示部をさらに備え、前記入力部は、前記表示部に設けられたタッチパネル入力部であることを特徴とする請求項１から請求項４のいずれか一項に記載の駐車券処理端末装置。
【請求項６】
二次元コードを撮影するためのカメラをさらに備え、駐車場の任意の位置に駐車位置情報を表す二次元コードを表示しておき、前記カメラにより、前記二次元コードを撮影して駐車位置情報を取り込むことを特徴とする請求項１から請求項５のいずれか一項に記載の駐車券処理端末装置。
【請求項７】
前記表示手段は、前記券用紙又は前記駐車券に駐車位置情報を印字する印字部であることを特徴とする請求項１から請求項６のいずれか一項に記載の駐車券処理端末装置。
【請求項８】
前記印字部により印字される駐車位置情報は、駐車位置を駐車場のレイアウト略図により表示することを特徴とする請求項７に記載の駐車券処理端末装置。
【請求項９】
前記印字部により印字される駐車位置情報は、駐車場のレイアウト略図または駐車位置を表示するウェブサイトのＵＲＬ情報を含む二次元コードを表示することを特徴とする請求項７または請求項８に記載の駐車券処理端末装置。
【発明の詳細な説明】
【技術分野】
【０００１】
本発明は駐車券処理端末装置に係り、特に、車時間を適正に算出して適正な料金精算を行うことができるとともに、駐車位置を容易に特定することを可能とした駐車券処理端末装置に関する。
【背景技術】
【０００２】
一般に、時間貸しの駐車場においては、駐車場の入場口に入場時刻を記録した駐車券を発行する発券機を設け、出場口には、駐車券から入場時刻を読取って、駐車時間に対応する駐車料金を算出して料金の精算を行う料金精算機を設置して、駐車料金の支払を受けると出口ゲートを開いて車輌の出場を許可するようになっている。
【０００３】
この場合に、広い駐車場においては、車両を料金精算機に移動させて料金の精算を行うものであるため、例えば、遊園地など出庫時間が集中する駐車場においては、料金精算のために混雑して、渋滞し、駐車場の出場までに時間が掛かってしまうという問題があった。
【０００４】
そのため、従来から、例えば、全体を自由に持ち運びできるように構成した携帯型精算機に、駐車券の入庫時刻の読取り、駐車時間と料金の算出と表示、領収証を発行する各機能、差込まれた駐車券に駐車料金の領収コードを記録して送り戻す機能とを設け、この携帯型精算機によっても駐車料金の精算を行うことができるようにした技術が開示されている（例えば、特許文献１参照）。
【先行技術文献】
【特許文献】
【０００５】
【特許文献１】特許第２９２６２６１号公報
【発明の概要】
【発明が解決しようとする課題】
【０００６】
しかしながら、前記特許文献１に記載の発明によれば、駐車料金の精算の補助を行うことは可能であるが、駐車場が混雑している場合などには、駐車場に入場してから駐車場内で空いている車室を捜して駐車場内を走行したり、入場してから駐車場内で渋滞が発生した場合など、入場してから車室に駐車するまでに多くの時間が掛かってしまうことがあり、実際に駐車している適正な駐車時間に基づいて駐車料金が精算できないことがあるという問題を有している。
【０００７】
また、極めて広い駐車場の場合、駐車場のどこに駐車したか、わからなくなってしまい利用者に不便であるという問題を有している。これは、例えば、車室ごとにセンサを設けたり、駐車場内のカメラで追跡するといった車両誘導システムを導入すれば、駐車位置を特定することは可能であるが、システムの設置が大掛かりとなり、設置コストも効果となってしまうという問題を有している。
【０００８】
本発明は前記した点に鑑みてなされたものであり、駐車時間を適正に算出して適正な料金精算を行うことができるとともに、駐車位置を容易に特定することのできる駐車券処理端末装置を提供することを目的とするものである。
【課題を解決するための手段】
【０００９】
前記目的を達成するために請求項１の発明に係る駐車券処理端末装置は、携帯可能な駐車券処理端末装置であって、
係員の操作により駐車位置情報を入力するための入力部と、
前記入力部による入力情報に基づいて券用紙に少なくとも駐車位置情報の表示に対応する印字又は記録を行う表示手段と、
前記券用紙に入場情報、駐車位置情報及び割引情報を含む情報を書き込む情報書き込み部と、を備えることを特徴とする。
【００１０】
請求項２に係る発明は、携帯可能な駐車券処理端末装置であって、
係員の操作により駐車位置情報を入力するための入力部と、
前記入力部による入力情報に基づいて駐車券に少なくとも駐車位置情報の表示に対応する印字又は記録を行う表示手段と、
前記駐車券に駐車位置情報及び割引情報を含む情報を書き込む情報書き込み部と、を備えることを特徴とする。
【００１１】
請求項３に係る発明は、請求項１または請求項２において、前記割引情報は、駐車場の駐車位置に応じて駐車料金の割引を行う情報であることを特徴とする。
【００１２】
請求項４に係る発明は、請求項１から請求項３のいずれか一項において、前記入力部は、操作キーからなるキー入力部であることを特徴とする。
【００１３】
請求項５に係る発明は、請求項１から請求項４のいずれか一項において、所定の情報を表示する表示部をさらに備え、前記入力部は、前記表示部に設けられたタッチパネル入力部であることを特徴とする。
【００１４】
請求項６に係る発明は、請求項１から請求項５のいずれか一項において、二次元コードを撮影するためのカメラをさらに備え、駐車場の任意の位置に駐車位置情報を表す二次元コードを表示しておき、前記カメラにより、前記二次元コードを撮影して駐車位置情報を取り込むことを特徴とする。
【００１５】
請求項７に係る発明は、請求項１から請求項６のいずれか一項において、前記表示手段は、前記券用紙又は前記駐車券に駐車位置情報を印字する印字部であることを特徴とする。
請求項８に係る発明は、請求項７において、前記印字部により印字される駐車位置情報は、駐車位置を駐車場のレイアウト略図により表示することを特徴とする。
【００１６】
請求項９に係る発明は、請求項７または請求項８のいずれか一項において、前記印字部により印字される駐車位置情報は、駐車場のレイアウト略図または駐車位置を表示するウェブサイトのＵＲＬ情報を含む二次元コードを表示することを特徴とする。
【発明の効果】
【００１７】
請求項１に係る発明によれば、駐車場の所定の車室に車両が駐車した場合に、駐車券処理端末装置により、券用紙に駐車位置情報を印字等するとともに、券用紙に入場情報、駐車位置情報及び割引情報を書き込むことにより駐車券を発行するようにしているので、駐車場に入場する際あるいは入場した後、所定の車室に駐車するまでに、時間が掛かってしまった場合でも、駐車した後の適正な時刻に駐車券を発行することができ、適正な駐車料金による精算が可能となる。また、券用紙に駐車位置情報を印字等するようにしているので、高価な車両誘導システムを導入することなく、駐車場の利用者が駐車位置を確実に認識することができ、自己の車両の駐車位置を迷うことがない。
【００１８】
請求項２に係る発明によれば、駐車場の所定の車室に車両が駐車した場合に、駐車券処理端末装置により、外部から取り込んだ駐車券に、駐車位置情報を印字等するとともに、駐車位置情報及び割引情報を書き込むようにしているので、適正に駐車位置を特定することができるとともに、駐車位置に応じた割引を行うことができ、適正な駐車料金による精算が可能となる。また、駐車券に駐車位置情報を印字等するようにしているので、高価な車両誘導システムを導入することなく、駐車場の利用者が駐車位置を確実に認識することができ、自己の車両の駐車位置を迷うことがない。
【００１９】
請求項３に係る発明によれば、割引情報を、駐車場の駐車位置に応じて駐車料金の割引を行う情報としているので、広い駐車場の場合に、駐車位置に応じた割引を行うことができる。
【００２０】
請求項４に係る発明によれば、入力部を操作キーからなるキー入力部としているので、駐車位置をキー入力部により入力することができる。
【００２１】
請求項５に係る発明によれば、所定の情報を表示する表示部をさらに備え、入力部を表示部に設けられたタッチパネル入力部としているので、表示部の表示を見ながら駐車位置を入力することができる。
【００２２】
請求項６に係る発明によれば、駐車場の任意の位置に駐車位置情報を表す二次元コードを表示しておき、カメラにより二次元コードを撮影して駐車位置情報を取り込むようにしているので、二次元コードを撮影するだけで、駐車位置を容易に取得することができ、入力ミスの発生を防止することができる。
【００２３】
請求項８に係る発明によれば、印字部により印字される駐車位置情報を駐車位置を駐車場のレイアウト略図により表示するようにしているので、レイアウト略図により容易に駐車位置を認識することができる。
【００２４】
請求項９に係る発明によれば、印字部により印字される駐車位置情報は、駐車場のレイアウト略図または駐車位置を表示するウェブサイトのＵＲＬ情報を含む二次元コードにより表示するようにしているので、二次元コードを携帯電話などで撮影して、ウェブサイトを閲覧することにより、容易に駐車位置を認識することができる。
【図面の簡単な説明】
【００２５】
【図１】本発明に係る駐車券処理端末装置の第１実施形態を示す概略構成図である。
【図２】本発明に係る駐車券処理端末装置の第１実施形態における駐車券の駐車位置を文字で表示した例を示す説明図である。
【図３】本発明に係る駐車券処理端末装置の第１実施形態における駐車券の駐車位置をレイアウト略図で表示した例を示す説明図である。
【図４】本発明に係る駐車券処理端末装置の第１実施形態における駐車位置を案内券で表示した例を示す説明図である。
【図５】本発明に係る駐車券処理端末装置の第１実施形態における駐車券の駐車位置をシールに表示した例を示す説明図である。
【図６】本発明に係る駐車券処理端末装置の第１実施形態における駐車券の駐車位置を二次元コードで表示した例を示す説明図である。
【図７】本発明に係る駐車券処理端末装置の第１実施形態における動作を示すフローチャートである。
【図８】本発明に係る駐車券処理端末装置の第２実施形態における動作を示すフローチャートである。
【発明を実施するための形態】
【００２６】
以下、本発明の実施の形態について図面を参照しながら説明する。
【００２７】
図１は、本発明に係る駐車券処理端末装置の第１実施形態を示す概略構成図であり、本実施形態においては、本発明に係る駐車券処理端末装置１を用いて、駐車場の駐車券を発行する場合の例を示している。すなわち、駐車場の利用者が駐車場の所定の車室に駐車した場合に、係員が駐車場利用者に駐車券を発行するものである。そして、この駐車券処理端末装置１は、駐車場の係員が携帯するものであり、係員が携帯することができるような外形寸法および重量に形成されるものである。
【００２８】
本実施形態においては、駐車券処理端末装置１は、駐車券処理端末装置１の各部署を制御する制御部２を備えており、この制御部２には、駐車情報や駐車位置情報などの所定の情報を入力するための入力部３および、例えば、液晶表示装置などからなる所定の情報を表示するための表示部４が接続されている。入力部３としては、例えば、テンキーなどのキー入力する入力部３でもよいし、表示部４に一体に形成されたタッチパネルにより入力する入力部３でもよい。
【００２９】
また、駐車券処理端末装置１には、一面に所定の情報を記録するための磁気記録面とされた券用紙（図示せず）があらかじめストックされており、駐車券処理端末装置１には、制御部２による指令によりストックされた券用紙を供給するための券供給部５が設けられている。さらに、駐車券処理端末装置１には、入力部３からの入力情報に基づいて、券供給部５から送られる券用紙に所定の情報を印字するサーマルヘッドなどの印字部６が設けられており、駐車券処理端末装置１には、駐車券１０に記録されている情報読み取るとともに、券用紙の磁気記録面に入場情報、駐車位置情報や割引情報などの情報を書き込むための情報書き込み部としてのリーダライタ部７が設けられている。さらに、駐車券処理端末装置１には、図示しないが、券供給部５から供給される券用紙を、印字部６およびリーダライタ部７にそれぞれ搬送するための券搬送路が設けられており、駐車券処理端末装置１には、券搬送路により送られる駐車券１０を駐車券処理端末装置１の外部に排出させるとともに、駐車券１０を外部から券搬送路に取り込むための券挿入口（図示せず）が形成されている。
【００３０】
なお、入場情報は、例えば、発券番号および入場日時からなり、駐車券処理端末装置１により自動的に取得することができるものである。また、割引情報は、例えば、ショッピングセンターなどに設置された広い駐車場の場合、ショッピングセンターに遠い駐車エリアに駐車した場合に、駐車料金の割引を行うなどの情報である。
【００３１】
また、本実施形態において駐車券処理端末装置１により駐車位置を入力する手段としては、例えば、テンキーにより構成された入力部３を用いて、係員が手入力により入力する手段が用いられる。また、その他の手段としては、例えば、駐車券処理端末装置１に二次元コードを撮影するためのカメラ（図示せず）を設けるとともに、駐車場の車室の路面や駐車場内の壁面などに、車室番号または駐車エリアなどの駐車位置情報を表す二次元コードを表示しておき、駐車券処理端末装置１のカメラにより、この二次元コードを撮影して駐車位置情報を取り込むようにしてもよい。なお、情報を記録するための二次元コードとしては、例えば、「ＱＲコード（登録商標）」（ＪＩＳＸ０５１０）がある。その他、情報を記録するために十分な容量が確保できるのであれば、他の規格の二次元コードや、一次元のいわゆるバーコードを用いてもよい。さらに、文字認識技術を用いることで、暗号化した状態で目視可能な文字そのものを機械読取りに利用するようにしてもよい。
【００３２】
また、その他の手段として、駐車券処理端末装置１にＧＰＳ受信部（図示せず）を設け、このＧＰＳ受信部により取得された位置情報から駐車位置を特定して駐車位置情報を取得するようにしてもよい。さらに、駐車場の車室ごとまたは所定のエリアごとにこれら車室内または所定のエリア内のみで通信が可能な微弱無線アンテナまたは無線ＬＡＮアンテナ（図示せず）を設置し、受信したアンテナをもとに駐車位置を特定して駐車位置情報を取得するようにしてもよい。なお、この場合には、ＧＰＳ受信部を用いる場合に比較して、複数階にわたって多層に形成された立体駐車場や地下駐車場にも適正に対応することが可能となる。また、駐車券処理端末装置１のタッチパネルからなる表示部４に、駐車場のレイアウトまたは駐車エリアなどを表示させるように構成し、係員が所定の駐車エリアをタッチすることにより、駐車位置情報を取得するようにしてもよい。
【００３３】
さらに、その他の手段として、駐車券処理端末装置１にあらかじめ特定の駐車エリアの駐車位置情報を設定しておき、当該駐車券処理端末装置１は、設定された駐車エリア内でのみ使用するようにしてもよい。この場合には、各駐車エリアごとに異なる駐車券処理端末装置１を使用することになる。また、駐車エリアの駐車位置情報が記録された設定カードを駐車エリアごとに用意し、駐車券処理端末装置１のリーダライタ部７により設定カードを読み取らせることにより、駐車位置情報を取得するようにしてもよい。この場合には、係員が駐車エリアから別の駐車エリアに移動する際に、対応する駐車エリアの設定カードを読み取るようにすればよい。
【００３４】
上述の手段により駐車位置を入力した後に、この駐車位置情報および駐車場の入場情報を印字部６により、券供給部５から送られる券用紙に印字するように構成されている。駐車位置の表示手段としては、例えば、図２に示すように、入場情報である入場日時および発券番号とともに、駐車位置番号を表示するものである。なお、この場合における駐車位置番号「Ａ−１２３」は、駐車場のＡエリアの１２３番車室に駐車していることを示している。
【００３５】
また、その他の表示手段としては、例えば、図３に示すように、駐車場のレイアウトの略図を表示し、該当する駐車エリアに駐車位置を表す記号を印字するようにしてもよい。この場合は、駐車場のＡエリアに駐車していることを示している。
【００３６】
さらに、その他の手段としては、例えば、図４に示すように、図２に示す駐車位置番号および図３に示す駐車場のレイアウトの両方を、駐車券１０とは別の案内券１１に印字するようにしてもよい。また、その他の手段としては、例えば、図５に示すように、図４に示す駐車位置番号と駐車場レイアウトとをシール８に印字し、このシール８を駐車券１０に貼付するようにしてもよい。
【００３７】
また、その他の手段としては、例えば、図６に示すように、駐車場のレイアウト略図および駐車位置番号を表示するウェブサイトのＵＲＬ情報を含む二次元コード９を印字するようにしてもよく、この場合は、駐車場利用者が携帯電話などで二次元コード９を撮影し当該ＵＲＬにアクセスすることで駐車位置を確認することができるものである。さらに、その他の手段としては、印字部６により駐車位置情報を印字するのではなく、駐車券１０の磁気記録面に駐車位置情報を記録させ、別個に駐車券１０の読み取り端末を設置しておき、この読み取り端末に駐車券１０の情報を読み取らせることにより、読み取り端末に駐車位置を表示させるようにしてもよい。
【００３８】
次に、本実施形態の作用について、図７に示すフローチャートを参照して説明する。
【００３９】
まず、駐車場の所定の車室に車両が駐車されたら、係員は、入力部３を操作して、駐車位置を入力する（ＳＴ１）。そして、券供給部５から券用紙を供給し（ＳＴ２）、印字部６により、入場情報、駐車位置情報を券用紙に印字する（ＳＴ３）。印字が完了したら、リーダライタ部７により、入場情報を券用紙の磁気記録面に記録し（ＳＴ４）、駐車券処理端末装置１から駐車券１０を発行するものである（ＳＴ５）。
【００４０】
以上述べたように、本実施形態においては、駐車場の所定の車室に車両が駐車した場合に、駐車券処理端末装置１により、入場情報、駐車位置情報を印字するとともに、入場情報、駐車位置情報および必要な割引情報を記録した駐車券１０を発行するようにしているので、駐車場に入場する際あるいは入場した後、所定の車室に駐車するまでに、時間が掛かってしまった場合でも、駐車した後の適正な時刻に駐車券１０を発行することができ、適正な駐車料金による精算が可能となる。また、駐車券１０に駐車位置情報を印字するようにしているので、車室ごとにセンサを設けたり、駐車場内のカメラで追跡するといった高価な車両誘導システムを導入することなく、駐車場の利用者が駐車位置を確実に認識することができ、自己の車両の駐車位置を迷うことがない。
【００４１】
次に、本発明の第２実施形態について説明する。
【００４２】
本実施形態は、駐車券処理端末装置１により駐車券１０を発行するのではなく、駐車場の入場口に設置された発券機で駐車券１０を発行し、駐車券処理端末装置１は、この駐車券１０に、印字部６により駐車位置情報や割引情報を印字するとともに、リーダライタ部７により駐車位置情報や割引情報を記録するものである。
【００４３】
駐車券処理端末装置１の構成は、前記第１実施形態と同様であるが、外部から取り込まれる駐車券１０にのみ印字、記録を行う場合には、券供給部５を省略するようにしてもよい。
【００４４】
次に、本実施形態の作用について、図８に示すフローチャートを参照して説明する。
【００４５】
本実施形態においては、駐車場の所定の車室に車両が駐車されたら、利用者が駐車券処理端末装置１に駐車券１０を挿入する（ＳＴ１０）。すると、駐車券処理端末装置１により、駐車券１０が当該駐車場で有効な駐車券１０か否かを判断し（ＳＴ１１）、駐車券１０が有効である場合は（ＳＴ１１：ＹＥＳ）、係員は、入力部３を操作して、駐車位置を入力する（ＳＴ１２）、そして、印字部６により、駐車位置情報を駐車券１０に印字する（ＳＴ１３）。印字が完了したら、リーダライタ部７により、割引情報を駐車券１０の磁気記録面に記録し（ＳＴ１４）、駐車券処理端末装置１から駐車券１０を返却するものである（ＳＴ１５）。
【００４６】
一方、駐車券１０が有効でない場合は（ＳＴ１１：ＮＯ）、駐車券１０を返却する（ＳＴ１６）。
【００４７】
以上述べたように、本実施形態においては、駐車場の所定の車室に車両が駐車した場合に、駐車券処理端末装置１により、外部から取り込んだ駐車券１０に、入場情報、駐車位置情報を印字するとともに、入場情報、駐車位置情報および必要な割引情報を記録するようにしているので、適正に駐車位置を特定することができるとともに、駐車位置に応じた割引を行うことができ、適正な駐車料金による精算が可能となる。また、駐車券１０に駐車位置情報を印字するようにしているので、高価な車両誘導システムを導入することなく、駐車場の利用者が駐車位置を確実に認識することができ、自己の車両の駐車位置を迷うことがない。
【００４８】
なお、前記第１実施形態および第２実施形態を別個の実施形態として説明したが、例えば、駐車場が混雑している場合は、第１実施形態に示すように、駐車券処理端末装置１により駐車券１０を発行させ、駐車場が混雑していない場合は、第２実施形態に示すように、発券機により駐車券１０を発行させるように、各実施形態を組み合わせて実施することも可能である。
【００４９】
また、前記各実施形態においては、情報書き込み部としてリーダライタ部７を用い、磁気記録面が形成された券用紙に所定の情報を書き込むようにしているが、その他、例えば、券用紙に磁気記録面を形成せず、券用紙に所定の情報に応じた二次元コードを印字部６により印字するようにしてもよいし、券用紙に所定の情報に応じたパンチ穴を穿設するようにしてもよい。さらに、駐車券をＩＣチップを内蔵した非接触ＩＣカードで構成し、所定の情報をＩＣチップに記録するようにしてもよい。
【００５０】
なお、本発明は前記実施形態に限定されるものではなく、本発明の趣旨に基づいて種々の変形が可能である。
【符号の説明】
【００５１】
１  駐車券処理端末装置
２  制御部
３  入力部
４  表示部
５  券供給部
６  印字部
７  リーダライタ部
８  シール
９  二次元コード
１０  駐車券
１１  案内券
【図１】
0005805953.tif 000002
【図２】
0005805953.tif 000003
【図３】
0005805953.tif 000004
【図４】
0005805953.tif 000005
【図５】
0005805953.tif 000006
【図６】
0005805953.tif 000007
【図７】
0005805953.tif 000008
【図８】
0005805953.tif 000009